(57)【要約】【課題】コネクタのハーネス接続部分の揺動を規制することで、ハーネス接続部分の早期断線を防止する遊技機の配線構造を提供する。【解決手段】コネクタ６６に、このコネクタから延在しているハーネス８８が振動等により揺動するのを規制するハーネスカバー９０を一体化した。このハーネスカバーは、コネクタから延在しているハーネスを外側から囲っている筒状の揺動規制部９２と、この揺動規制部と一体に形成して前記コネクタに着脱自在に一体化される着脱部９４とを備えている。【選択図】        図３
2005185773.tif 000002
【特許請求の範囲】
【請求項１】
遊技機に設けた複数の電気部品と、これらの電気部品を制御している制御基板とをハーネス及びコネクタを介して接続し、前記コネクタを構成しているプラグ及びジャックのうち一方のコネクタ部品を前記制御基板に固定し、他方のコネクタ部品に前記ハーネスが接続している遊技機の配線構造において、
前記コネクタに、前記他方のコネクタ部品から延在している前記ハーネスが振動等により揺動するのを規制するハーネスカバーを一体に取り付けたことを特徴とする遊技機の配線構造。
【請求項２】
前記ハーネスカバーは、前記他方のコネクタ部品から延在しているハーネスを外側から囲っている筒状の揺動規制部と、この揺動規制部と一体に形成して前記コネクタに着脱自在に一体化される着脱部とを備えていることを特徴とする請求項１記載の遊技機の配線構造。
【請求項３】
前記ハーネスカバーの着脱部を、前記制御基板に固定している前記一方のコネクタ部品に着脱可能としたことを特徴とする請求項２記載の遊技機の配線構造。
【請求項４】
前記ハーネスカバーの着脱部を、前記ハーネスが接続している前記他方のコネクタ部品に着脱可能としたことを特徴とする請求項２記載の遊技機の配線構造。
【発明の詳細な説明】
【技術分野】
【０００１】
本発明は、遊技機に設けた複数の電気部品とこれらの電気部品を制御している制御基板とをハーネス及びコネクタを介して接続している遊技機の配線構造に関する。
【背景技術】
【０００２】
遊技機としてのパチンコ機は電子化が進み、予め定められた遊技球を遊技者に獲得させるための賞球制御、特別図柄始動入賞口、普通図柄始動入賞口に遊技球が入賞した場合に可変表示装置を始動させる制御、遊技球の発射制御、賞球の排出及び補給、各種情報の表示や効果音の発生、或いは遊技球の発射数等の各種データの収集などをマイクロコンピュータを中心とする制御手段により行っている。
【０００３】
パチンコ機の遊技盤の表面には、特別図柄始動入賞口、普通図柄始動入賞口、可変表示装置、ランプ付き風車、入賞表示灯等が配設されており、特別図柄始動入賞口や普通図柄始動入賞口には、遊技球が入賞したことを検知するスイッチが設けられている。また、遊技盤の裏面には、前記電気部品の制御を行う複数の制御基板が配設されており、ハーネス及びコネクタを介して接続されている。コネクタはプラグ及びジャックとで構成されており、プラグ及びジャックのうちの一方のコネクタ部品が制御基板に固定され、他方のコネクタ部品に前記ハーネスが接続している。（例えば、特許文献１）。
【特許文献１】特開平２００１−８７５１９号公報
【発明の開示】
【発明が解決しようとする課題】
【０００４】
ところで、賞球の排出や補給等の際には遊技盤が振動し、この振動により他方のコネクタに接続しているハーネスが揺動する。ハーネスの揺動が繰り返し発生すると、コネクタのハーネス接続部分が断線しやすい。
本発明は上記事情に鑑みてなされたものであり、コネクタのハーネス接続部分の揺動を規制することでハーネス接続部分の早期断線を防止する遊技機の配線構造を提供することを目的としている。
【課題を解決するための手段】
【０００５】
上記課題を解決するために、請求項１記載の遊技機の配線構造は、遊技機に設けた複数の電気部品と、これらの電気部品を制御している制御基板とをハーネス及びコネクタを介して接続し、前記コネクタを構成しているプラグ及びジャックのうち一方のコネクタ部品を前記制御基板に固定し、他方のコネクタ部品に前記ハーネスが接続している遊技機の配線構造において、前記コネクタに、前記他方のコネクタ部品から延在している前記ハーネスが振動等により揺動するのを規制するハーネスカバーを一体に取り付けた。
【０００６】
また、請求項２記載の発明は、請求項１記載の遊技機の配線構造において、前記ハーネスカバーは、前記他方のコネクタ部品から延在しているハーネスを外側から囲っている筒状の揺動規制部と、この揺動規制部と一体に形成して前記コネクタに着脱自在に一体化される着脱部とを備えている。
また、請求項３記載の発明は、請求項２記載の遊技機の配線構造において、前記ハーネスカバーの着脱部を、前記制御基板に固定している前記一方のコネクタ部品に着脱可能とした。
さらに、請求項４記載の発明は、請求項２記載の遊技機の配線構造において、前記ハーネスカバーの着脱部を、前記ハーネスが接続している前記他方のコネクタ部品に着脱可能とした。
【発明の効果】
【０００７】
本発明の遊技機の配線構造によると、コネクタのハーネス接続部分が振動するのをハーネスカバーで規制したので、ハーネス接続部分の早期断線を防止することができ、電気部品と制御基板の電気的な接続の耐久性を向上させることができる。
【発明を実施するための最良の形態】
【０００８】
以下、本発明に係る遊技機の配線構造の１実施形態について、図面を参照して説明する。
図１は、パチンコ機の前面枠に装着される遊技盤１０の表面を示す図であり、図２は、遊技盤１０の裏面を示す図である。
図１に示すように、遊技盤１０の円弧状のレール１２で囲まれた領域が遊技領域であり、遊技領域１４には、全面に渡って複数の釘１６が打ち込まれ（図１では主要な釘１６のみ図示）、レール１２を通って打ち出された遊技球が釘１６に当って跳ねたり、釘１６によって形成される案内路に案内されながら、落下していくように構成されている。
【０００９】
この釘１６の他、遊技領域１４に向かって左右対称位置に、風車１８を取り付け、遊技球を予期しない方向へ方向転換させるようにしている。
また、遊技領域１４には、複数の入賞口２０を設け、この入賞口２０に遊技球が入賞することにより、所定数の遊技球が遊技者に提供されるようにしている。
遊技領域１４の中央部には、特別図柄を表示する特別図柄可変表示装置２２を配置し、その表示部２４のみを表面に露出させている。表示部２４の下方に、特別図柄可変表示装置２２を始動するための特別図柄始動入賞口２６を設けている。
【００１０】
特別図柄可変表示装置２２の上方には、普通図柄可変表示装置２８の表示部３０を表面に露出させている。そして、普通図柄可変表示装置２８を始動するための普通図柄始動ゲート３２が特別図柄始動入賞口２６の両側に設けている。
特別図柄始動入賞口２６の更に下方には、大入賞口４２が配置されており、特別図柄可変表示装置２２が所謂当りの表示状態となった場合に所定時間開放され、大量の遊技球を入賞させることができる。
【００１１】
特別図柄始動入賞口２６には、遊技球が入賞したことを検出する特別図柄始動スイッチ３４（図２参照）が設けられており、遊技球の特別図柄始動入賞口２６への入賞を検出すると、特別図柄可変表示装置２２の表示が可変状態となると共に、当りの抽選が行われる。
普通図柄始動ゲート３２は、遊技球が普通図柄始動ゲート３２を通過したことを検出する普通図柄始動スイッチ４０（図２参照）が設けられており、遊技球が普通図柄始動ゲートを通過したことを検出すると、普通図柄可変表示装置２８の可変表示が開始される。
【００１２】
前記大入賞口４２内部には、カウントスイッチ４４及びＶスイッチ４６が所定位置に配置されており（図２参照）、カウントスイッチ４４によって遊技球の入賞数を検出すると共にＶスイッチ４６によって遊技球を検出した場合に所定の処理が行われる。
図２に示すように、遊技盤１０の裏面には、装飾ランプ４８（図１参照）の発光制御を行う装飾ランプ制御基板５０、普通図柄可変表示装置２８の表示を行う普通図柄基板５２、特別図柄可変表示装置２２の制御を行う特別図柄制御基板５４、音声制御基板５６、ランプ中継基板５８、スイッチ中継基板６０、及び遊技機の制御を行う主制御基板６２が配設されている。
【００１３】
前述したカウントスイッチ４４、Ｖスイッチ４６、特別図柄始動スイッチ３４及び普通図柄始動スイッチ４０は、配線（以下、ハーネスと称する）及びコネクタ６４，６６，６８，７２，７４を介してスイッチ中継基板６０に電気的に接続されており、スイッチ中継基板６０についても、ハーネス及びコネクタ７０を介して主制御基板６２に電気的に接続されている。
ここで、図３及び図４は、前述したコネクタ６６の具体的な構造と、コネクタ６６に一体化される第１実施形態のハーネスカバー９０を示す図である。
図３に示すように、コネクタ６６は、スイッチ中継基板６０に固定されたメス側コネクタ（プラグ）８０と、ハーネス８８が接続している外観直方体形状のオス側コネクタ（ジャック）８２とで構成した水平装着タイプのコネクタである。
【００１４】
メス側コネクタ８０は、電極端子８０ｄがスイッチ中継基板６０の裏面まで貫通して半田溶着されている。また、オス側コネクタ８２の互い対向しているフラットな一対の外周面８２ｂには、後述するハーネスカバー９０の凸部９４ａが嵌まり込む凹部８２ｃが形成されている。
そして、図４に示すように、オス側コネクタ８２に設けた嵌合用の爪８２ａが、メス側コネクタ８０に設けた矩形の切り欠き８０ａに内側から係合することで、メス側コネクタ８０及びオス側コネクタ８２が一体化され、ハーネス８８及びスイッチ中継基板６０が電気的に接続される。
【００１５】
また、本実施形態のハーネスカバー９０は、図３に示すように、オス側コネクタ８２の外周に嵌まり込む矩形筒状の揺動規制部９２と、この揺動規制部９２から互いに平行に突出し、オス側コネクタ８２の一対の外周面８２ｂに接触する一対の板状の着脱部９４とを備えた部材であり、一対の着脱部９４の互いに対向する面側に、前述した凸部９４ａが形成されている。
【００１６】
そして、一体化したメス側コネクタ８０及びオス側コネクタ８２に向けてハーネスカバー９０を移動させていくと、一対の着脱部９４が、外側に僅かに弾性変形しながらオス側コネクタ８２の外周面８２ｂ上を摺動し、各着脱部９４に設けた凸部９４ａがオス側コネクタ８２の外周面８２ｂの凹部８２ｃに入り込むことで弾性復帰し、図４に示すように、一対の着脱部９４を介してハーネスカバー９０がオス側コネクタ８２に固定される。
【００１７】
オス側コネクタ８２にハーネスカバー９０を固定すると、オス側コネクタ８２に接続しているハーネス８８を、揺動規制部９２が外側から囲んだ状態とする。
したがって、オス側コネクタ８２にハーネスカバー９０を固定すると揺動規制部９２がハーネス８８を囲むので、遊技球の賞球時の排出、遊技球の補給等の際に遊技盤１０が振動し、この振動によりオス側コネクタ８２に接続したハーネス８８が揺動しようとしても、揺動規制部９２がハーネス８８の揺動を規制し、ハーネス接続部分（図３、図４の符号８８ａで示す部分）の早期断線を防止することができる。
【００１８】
また、筒状の揺動規制部９２内にハーネス８８を挿通し、オス側コネクタ８２に向けてハーネスカバー９０を移動させるだけで簡単に装着することができるので、ハーネスカバー９０の装着を容易に行うことができる。
また、上記構成のコネクタ６６と同様に、他のコネクタ６４，６８，７２，７４にもハーネスカバー９０が一体化されており、上述した効果を奏することができる。
【００１９】
なお、図３及び図４で示したコネクタ６６は水平装着タイプのコネクタを示したが、垂直装着タイプのコネクタであっても、同様の作用効果を奏することができる。
また、上記構造では、着脱部９４に凸部９４ａを設け、オス側コネクタ８２の外周面８２ｂに凹部８２ｃを設けたが、凸部、凹部が逆であっても同様の効果を得ることができる。さらに、凸部、凹部が互いに嵌合する構造に限らず、オス側コネクタ８２にハーネスカバー９０が着脱自在に一体化される構造であれば、上述した効果と同様の効果を奏することができる。
【００２０】
次に、図５及び図６は、図３及び図４で示したハーネスカバー９０と異なる第２実施形態のハーネスカバー１００を示す図である。なお、図３及び図４で示した構成と同一構成部分には、同一符号を付して説明は省略する。
ハーネスカバー１００は、図５に示すように、オス側コネクタ８２の外周に嵌まり込む矩形筒状の揺動規制部１０２と、この揺動規制部１０２から互いに平行に突出し、メス側コネクタ８０の互い対向しているフラットな一対の外周面８０ｂに接触する一対の板状の着脱部１０４とを備えた部材であり、一対の着脱部１０４の互いに対向する面に凸部１０４ａが形成されている。
【００２１】
ここで、メス側コネクタ８０のフラットな一対の外周面８０ｂにも、一対の着脱部１０４の凸部１０４ａが嵌まり込む凹部８０ｃが形成されている。
そして、一体化したメス側コネクタ８０及びオス側コネクタ８２に向けてハーネスカバー１００を移動させていくと、一対の着脱部１０４が、外側に僅かに弾性変形しながらオス側コネクタ８２の外周面８２ｂ及びメス側コネクタ８０の外周面８０ｂ上を摺動し、各着脱部１０４に設けた凸部１０４ａがメス側コネクタ８０の凹部８０ｃに入り込むことで弾性復帰し、図６に示すように、一対の着脱部１０４を介してハーネスカバー１００がメス側コネクタ８０に固定される。
【００２２】
メス側コネクタ８０にハーネスカバー１００を固定すると、オス側コネクタ８２に接続しているハーネス８８を、揺動規制部１０２が外側から囲んだ状態とする。
したがって、メス側コネクタ８０にハーネスカバー１００を固定すると揺動規制部１０２がハーネス８８を囲むので、遊技球の賞球時の排出、遊技球の補給等の際に遊技盤１０が振動し、この振動によりオス側コネクタ８２に接続したハーネス８８が揺動しようとしても、揺動規制部１０２がハーネス８８の揺動を規制し、ハーネス接続部分８８ａの早期断線を防止することができる。
【００２３】
また、筒状の揺動規制部１０２内にハーネス８８を挿通し、メス側コネクタ８０に向けてハーネスカバー１００を移動させるだけで簡単に装着することができるので、ハーネスカバー１００の装着を容易に行うことができる。
さらに、ハーネスカバー１００は、スイッチ中継基板６０に固定したメス側コネクタ８０に一体化されているので、ハーネスカバー１００を強固に固定してハーネス８８の揺動を確実に規制することができる。
【図面の簡単な説明】
【００２４】
【図１】本発明に係るパチンコ機の遊技盤の表面を示す図である。
【図２】パチンコ機の遊技盤の裏面に設けた各種制御基板を示す図である。
【図３】遊技盤に設けた電気部品と制御基板とを接続するハーネス及びコネクタの構造と、コネクタに接続する第１実施形態のハーネスカバーの構造を示す斜視図である。
【図４】コネクタに接続した第１実施形態のハーネスカバーを示す斜視図である。
【図５】コネクタに接続する第２実施形態のハーネスカバーの構造を示す斜視図である。
【図６】コネクタに接続した第２実施形態のハーネスカバーを示す斜視図である。
【符号の説明】
【００２５】
１０  遊技盤
１４  遊技領域
３０  表示部
３４  特別図柄始動スイッチ
４０  普通図柄始動スイッチ
４４  カウントスイッチ
４６  Ｖスイッチ
４８  装飾ランプ
５０  装飾ランプ制御基板
５２  普通図柄基板
５４  特別図柄制御基板
５６  音声制御基板
５８  ランプ中継基板
６０  スイッチ中継基板
６２  主制御基板
６４，６６，６８，７２，７０，７４  コネクタ
８０  メス側コネクタ（ジャック）
８０ｂ  外周面
８０ｃ  凹部
８２  オス側コネクタ（プラグ）
８２ｃ  凹部
８２ｂ  外周面
８２ａ  爪
８８  ハーネス
８８ａ  ハーネス接続部分
９０，１００  ハーネスカバー
９２，１０２  揺動規制部
９４，１０４  着脱部
９４ａ，１０４ａ  凸部
【図１】
2005185773.tif 000003
【図２】
2005185773.tif 000004
【図３】
2005185773.tif 000005
【図４】
2005185773.tif 000006
【図５】
2005185773.tif 000007
【図６】
2005185773.tif 000008